(57)【特許請求の範囲】
【請求項１】
高圧ガスが封入された発光管の両端に電極が設けられたランプを電源装置に接続すると共に，前記ランプを所定の姿勢で固定するランプ固定具において，
前記ランプの一端側における電極部分に外嵌されるランプホルダと，
該ランプホルダを挿入，固定する嵌装部を備え，電源装置に接続されるソケットにより構成され，
前記ランプホルダの前記ソケットに挿入される膨出部に，挿入方向前方に向かって幅を狭めるテーパ部と，該テーパ部から延長する先端部を設け，前記先端部の外面に係止溝を形成すると共に，
前記ソケットの前記嵌装部内に，前記ランプホルダのテーパ部と同一角度のテーパ部と，前記ランプホルダの前記先端部を嵌装自在な先端挿入部を設け，前記ソケットの前記嵌装部に，前記ランプホルダを弾発的に係止自在に設けたことを特徴とするランプ固定具。
【請求項２】
前記ソケットの前記嵌装部に，前記ランプホルダの前記先端部の軸線方向と直交方向に形成された係止溝に係止される係止体を弾性的に突設して，前記ソケットの前記嵌装部に，前記ランプホルダを弾発的に係止自在に設けることを特徴とする請求項１記載のランプ固定具。
【請求項３】
前記ランプホルダの前記先端部の長さ方向にキー溝を形成すると共に，前記ソケットの前記嵌装部に設けた前記先端挿入部の内壁に前記キー溝と係合するキーを突設したことを特徴とする請求項１記載のランプ固定具。
【請求項４】
前記ランプホルダの外周に形成されるランプ保持部に，前記ランプホルダの挿入側端部において前記ソケットに外嵌する固着具を，着脱自在に設けたことを特徴とする請求項１記載のランプ固定具。
【請求項５】
高圧ガスが封入された発光管の両端に電極が設けられたランプを電源装置に接続されたソケットに取り付ける際，前記ランプの一端側における電極部分に外嵌して前記ソケットの嵌装部内に挿入されるランプホルダであって，
前記ソケットの前記嵌装部内に挿入される膨出部に，挿入方向前方に向かって幅を狭めるテーパ部と，該テーパ部から延長する先端部を設け，該先端部に，前記ソケットの前記嵌装部内壁より弾性的に突設された係止体が係止自在な係止溝を設けたことを特徴とするランプホルダ。
【請求項６】
前記先端部の長さ方向に，前記ソケットの嵌装部内壁より突出されたキーが係合されるキー溝を設けたことを特徴とする請求項５記載のランプホルダ。
【請求項７】
高圧ガスが封入された発光管の両端に電極が設けられたランプを取付対象とし，該ランプの一端側における電極部分に外嵌されたテーパ部を有するランプホルダを嵌装部内に受け入れると共に固定して前記ランプが取り付けられるソケットにおいて，
前記嵌装部内に，前記ランプホルダの挿入方向前方に向かって幅を狭める前記ランプホルダのテーパ部と同一角度のテーパ部と，該テーパ部から延長する先端挿入部を設け，該先端挿入部の内壁より，前記ランプホルダに形成された係止溝に係止される係止体を弾性的に突設したことを特徴とするソケット。
【請求項８】
前記先端挿入部の内壁に，前記ランプホルダに形成されたキー溝と係合するキーを突設したことを特徴とする請求項７記載のソケット。
【発明の詳細な説明】
【技術分野】
【０００１】
本発明はランプ固定具，及び前記ランプ固定具を構成するランプホルダ及びソケットに関し，より詳細には，高圧ガスを封入した発光管の両端に電極が設けられたキセノンランプ，水銀ランプ，メタルハライドランプ等のランプを，電源装置に接続すると共に，所定の姿勢，すなわち，所定の水平面におけるランプ外周の位置及び垂直位置，で固定するランプ固定具及び，前記ランプ固定具を構成するランプホルダとソケットに関する。
【背景技術】
【０００２】
発光管内に高圧ガスを封入すると共に，この発光管の両端にそれぞれ電極が設けられた高圧ランプの一例としてキセノンランプを例にとり説明すると，このキセノンランプ５０は，図９に示すように，石英ガラス製の発光管５１内に陰極チップ５２と陽極チップ５３の先端を２〜３mm程度の間隔（ギャップ）で対向配置した構造を備え，この発光管５１内にキセノンガスを封入すると共に，陽極チップ５３に接続されたリード（図示せず）を発光管５１の一端側（図示の例において上端側）において発光管５１外に延出し，また，発光管５１内の陰極チップ５２に接続されたリード（図示せず）を前記発光管５１の他端側（図示の例において下端側）において発光管５１外に延出すると共に（特許文献１参照），各リードを発光管の両端にそれぞれ電極として取り付けた口金５４，５５に接続して，この口金５４，５５を電源装置と接続することで，キセノンガス中でのアーク放電による発光を行うことができるように構成されている。
【０００３】
なお，図９中の符号５６は，発光管５１内にキセノンガスを封入する際に使用したガス導入路を封止，除去した際の残部によって生じた突起である。また，５７は，端部突出部で，前記口金５５に対して細径に形成され，ランプ５０の陽極側端部を成している。
【０００４】
以上のように構成されたキセノンランプ５０は，これを，例えばランプハウス１内の所定の位置に取り付ける場合，陽極を上側として垂直方向に取り付けるか，又は陰極チップ５２と陽極チップ５３とが水平方向に対向するように水平に取り付けられ，かつ，ランプ５０の点灯中の発熱による発光管５１の膨張により，発光管５１の両端側に設けた電極のいずれともに固定してしまうと，発光管５１の熱膨張を吸収できずにランプ５０が破損するおそれがあることから，いずれか一方の端部側のみを固定することにより取り付けられる。
【０００５】
一例として，図１０に示す例では，このキセノンランプ５０の陽極側の口金５５部分を固定してランプハウス１内に垂直に取り付けた例であり，ランプハウス１の天板２ａに開口２ｂを形成すると共に，この開口２ｂを上部より覆うキャップ３を設け，このキャップ３の裏面に，キセノンランプ５０の陽極側の口金５５を取り付けるためのランプ固定具７０を取り付け，このランプ固定具７０に前述のキセノンランプ５０の陽極側の口金５５を固定し，これによりランプハウス１の天板２ａ部分よりキセノンランプ５０を垂下させた状態で取り付けることで，キセノンランプ５０の発光部を背面ミラー５とコンデンサレンズ７間の所定位置に配置できるように構成したものである。
【０００６】
このランプ固定具７０は，前述のようにランプ５０の陽極側の口金５５部分を支持してランプ５０を所定の姿勢に固定するのみならず，陽極側の口金５５を電源装置に接続することができるように導電性材料によって形成されており，一例として図１１（Ａ），（Ｂ）に示すように，環状のフランジ部８１の中心に略円筒状の嵌装部８２が形成されたソケット８０と，環状のフランジ部９１の中心に，前記ソケット８０の嵌装部８２内に嵌合可能な中空の膨出部９２を備えたランプホルダ９０の組合せによって形成されており，電源装置に接続された前記ソケット８０を前述のキャップ３に取り付けると共に，ランプホルダ９０の膨出部９２内に形成された中空の空間９３内にキセノンランプ５０の陽極側の口金５５部分を挿入して前記ランプホルダ９０をキセノンランプ５０に取り付けて，この状態でランプホルダ９０の前記膨出部９２を，ソケット８０の嵌装部８２内に両ホルダ８０，９０のフランジ部８１，９１が接触する迄挿入し，ランプホルダ９０のフランジ部９１に設けたローレットネジ９４を回転させてその先端をソケット８０のフランジ部８１に形成したネジ孔８３内に螺合することで，ランプ５０を前記キャップ３に取り付けることができると共に，ランプ５０の陽極側の口金５５と電源装置間の電気的な接続を行うことができるように構成されている。
【０００７】
なお，前述のキャップ３には，前述のランプ固定具７０を介して取り付けたランプ５０の長手方向の進退移動と，長手方向を中心とした周方向の回動を可能と成す調整機構が設けられており，これにより，ランプハウス１内におけるランプ５０の発光部の位置すなわち，「ＬＣＤ」（Light Center Distance:光中心距離；前記陰極チップ５２と陽極チップ５３間のギャップ中心と陽極側口金５５までの距離）を,垂直位置及び前記突起５６の位置決めの微調整を行うべく構成されている。
【０００８】
この発明の先行技術文献情報としては次のものがある。
【特許文献１】特開２００６−８００１６号公報
【発明の開示】
【発明が解決しようとする課題】
【０００９】
図１０〜１２を参照して説明したランプ固定具７０において，このランプ固定具７０をソケット８０とランプホルダ９０とに分離した状態としておき，このうちのソケット８０を前述のキャップ３に予め取り付けておくと共に，ランプホルダ９０をランプ５０の陽極側の口金５５部分に予め取り付けておくことにより，ソケット８０に対してランプホルダ９０を取り付けるという比較的簡単な作業によりランプ５０の交換を行うことができるものとなっている。
【００１０】
しかし，ランプ固定具７０は前述したようにランプの５０を固定するのみならず，一方の口金（図示の例では陽極側の口金５５）を電源装置に接続するための機能をも有するものであるところ，図１０〜１２を参照して説明した構造のランプ固定具７０にあっては，ランプホルダ９０に設けられている膨出部９２は，ソケット８０に設けられている嵌装部８２内に確実に挿入することができるように，その外径をソケット８０の嵌装部８２内径に対して僅かに小さく形成されており，ランプホルダ９０の膨出部９２をソケット８０の嵌装部８２内に挿入した状態（図１２参照）において，膨出部９２の外周と，嵌装部８２の内周間には，僅かな隙間δが生じている。
【００１１】
そのため，前記構成のランプ固定具７０にあっては，ランプホルダ９０，ソケット８０に前述のようにフランジ８１，９１を設け，このフランジ８１，９１間の接触によって電気的な接触を確保する必要があり，ランプホルダ９０とソケット８０間の接触部分で生じる電気抵抗を減じるために接触面積を広く確保しようとすれば，このフランジ８１，９１を比較的大面積に形成する必要があり，ランプ固定具７０全体が大型化する。
【００１２】
また，ソケット８０の嵌装部８２内壁と，ランプホルダ９０の膨出部９２外壁間には前述したように僅かな隙間δが存在するために，ソケット８０とランプホルダ９０間に水平方向のがたつきが生じ，ソケット８０とランプホルダ９０の中心を完全に一致させることが困難であり，その結果，ランプホルダ９０に取り付けられたランプ５０の中心についてもこれを正確な位置となるように配置することが困難となる。
【００１３】
更に，図１０〜１２を参照して説明したランプ固定具７０にあっては，ランプホルダ９０のフランジ部９１に設けた複数のローレットネジ９４の締め込みが完了する迄，ランプホルダ９０はソケット８０に固定されておらず，両者は分離可能な状態にあるため，ランプ５０の交換作業を行う者はこのローレットネジ９４の締め込みが完了する迄，ランプホルダ９０がソケット８０の嵌装部８２内に挿入された状態を維持するようにランプホルダ９０を支えておく必要があるが，手元が狂う等してランプホルダ９０を離してしまうと，ランプホルダ９０と共にランプ５０が落下して高価なランプ５０が壊れてしまうおそれがあり，また，ランプ５０が割れると，内部のガス圧によって割れた発光管５１が飛散する等して危険である。
【００１４】
また，キセノンランプ等の高圧ランプ５０は，図９を参照して説明したように発光管５１の一部に，ガス導入路の残部によって形成された突起５６を有するが，この突起５６の形成部分では発光管５１の透光率が低下するために，ランプハウス１内にけられた背面ミラー５やコンデンサレンズ７等の配置に対し，この突起５６がどのような向きで配置されているかにより，ランプハウス１より放出される照射光の出力を低下させる場合がある。そのため，前述したキャップ３に設けられた調整機構によって，ランプ５０を回転させる等して，このような出力の低下が生じない位置に突起５６が配置されるように調整する必要があるが，このような調整は煩雑である。
【００１５】
そこで本発明は，上記従来技術における欠点を解消するためになされたもので，可及的に小さなサイズに形成しながら，ランプホルダとソケットとの接触面積を増大させて電気抵抗を減少させることができると共に，ソケットとランプホルダの中心合わせ（前記ＬＣＤの垂直位置及び突起５６の位置決め）が容易であり，更に，ソケットに対するランプホルダの挿入によりソケット内にランプホルダを仮止めすることができる構造，ソケットとランプホルダ間の位置合わせを容易とする構造，ソケットに対するランプホルダの固定を容易とする構造を備えたランプ固定具を提供することを目的とする。
【００１６】
以下に，課題を解決するための手段を，発明を実施するための最良の形態・実施例における符号により記載する。この符号は、特許請求の範囲の記載と発明を実施するための最良の形態・実施例の記載との対応を明らかにするためのものであり、言うまでもなく，本願発明の特許請求の範囲の技術的範囲の解釈に制限的に用いられるものではない。
【課題を解決するための手段】
【００１７】
上記目的を達成するために本発明のランプ固定具１０は，高圧ガスが封入された発光管５１の両端に電極が設けられたランプ５０を電源装置に接続すると共に，前記ランプ５０を所定の姿勢で固定するランプ固定具１０に関し，
前記ランプ５０の一端側における電極部分に外嵌されるランプホルダ３０と，
該ランプホルダ３０の外形形状に対応した形状の嵌装部２２を備えると共に，該嵌装部２２内に挿入された前記ランプホルダ３０を固定する，電源装置（図示せず）に接続されるソケット２０により構成され，
前記ランプホルダ３０の前記ソケット２０に挿入される膨出部３１（実施形態において筒状の部材）に，挿入方向前方に向かって幅を狭めるテーパ部３１ｂと，該テーパ部３１ｂから延長する先端部３１ａ（実施形態において円柱状部材）を設け，前記先端部３１ａの外面に係止溝３５を形成すると共に，
前記ソケット２０の前記嵌装部２２内に前記ランプホルダ３０のテーパ部３１ｂと同一角度のテーパ部２２ｂと，前記ランプホルダ３０の前記先端部３１ａを嵌装自在の先端挿入部２２ａ（実施形態において円筒状の部材）を設け，前記ソケット２０の前記嵌装部２２に，前記ランプホルダ３０を弾発的に係止自在に設けたことを特徴とする（請求項１）。
【００１８】
前記ソケット２０の前記嵌装部２２ａに，前記ランプホルダ３０の前記先端部３１ａの軸線方向と直交方向に形成された係止溝３５に係止される係止体，実施形態においてボールプランジャ２６の球体２６ｂ，を弾性的に突設して，前記ソケット２０の前記嵌装部２２に，前記ランプホルダ３０を弾発的に係止自在に設ければ，仮止め，ランプ光源の垂直位置の位置決めにも好適である（請求項２）。
【００１９】
前記構成のランプ固定具１０において，前記ランプホルダ３０の前記先端部３１ａの長さ方向にキー溝３６を形成すると共に，前記ソケット２０の嵌装部２２に設けた前記先端挿入部２２ａの内壁に，前記キー溝３６と係合するキー２４（実施形態において，キー溝用ガイドネジ２４の先端）を突設した構成とすればランプ光源の水平位置の位置決めに好適である（請求項３）。
【００２０】
更に，前記構成のランプ固定具１０において，前記ランプホルダ３０の外周に形成されるランプ保持部３３に，前記ランプホルダの挿入側端部において前記ソケット２０に外嵌する固着具２８を，着脱自在に設けることができる。この発明の実施形態においては，前記ランプホルダ３０の外周に形成されるランプ保持部３３外周に雄ネジ３４を形成すると共に，前記雄ネジ３４と螺合する雌ネジ２９が内周面に形成されたリング状部材から成る固着具２８を，前記ランプホルダ３０の挿入側端部において前記ソケット２０に外嵌するものとしても良い（請求項４）。
【００２１】
また，本発明のランプホルダ３０は，高圧ガスが封入された発光管５１の両端に電極が設けられたランプ５０を電源装置に接続されたソケット２０に取り付ける際，前記ランプ５０の一端側における電極部分に外嵌して前記ソケット２０のテーパ部２２ｂを有する嵌装部２２内に挿入されるランプホルダ３０であり，前記ソケット２０の前記嵌装部２２内の形状に対応した外形形状を成し，前記嵌装部内に挿入される膨出部３１に，挿入方向前方に向かって幅を狭める前記ソケット２０のテーパ部２２ｂと同一角度の前記テーパ部３１ｂと，該テーパ部から延長する先端部を設け，該先端部，例えばその幅方向に，前記ソケット２０の嵌装部２２内壁より弾性的に突設された係止体が係止される所定長さの係止溝２５を設けたことを特徴とする（請求項５）。
【００２２】
前記構成のランプホルダ３０において，前記先端部３１ａの長さ方向に，前記ソケット２０の嵌装部２２内壁より突出されたキーが係合されるキー溝３６を設けた構成とすることができる（請求項６）。
【００２３】
更に，本発明のソケット２０は，高圧ガスが封入された発光管５１の両端に電極が設けられたランプ５０を取付対象とし，該ランプ５０の一端側における電極部分に外嵌されるテーパ部３１ｂを有するランプホルダ３０を嵌装部２２内に受け入れると共に固定して前記ランプ５０が取り付けられるソケット２０に関し，
前記嵌装部２２内に，前記ランプホルダ３０の挿入方向前方に向かって幅を狭める前記ランプホルダ３０のテーパ部３１ｂと同一角度のテーパ部２２ｂと，該テーパ部から延長する先端挿入部２２ａを設け，前記ランプホルダ３０の外形形状に対応した内部形状に形成されると共に，該先端挿入部の内壁より，前記ランプホルダ３０に形成された係止溝３５に係止される係止体を弾性的に突設したことを特徴とする（請求項７）。
【００２４】
前記構成のソケット２０において，前記先端挿入部の内壁に，前記ランプホルダ３０に形成されたキー溝３６と係合するキーを突設した構成とすることができる（請求項８）。
【発明の効果】
【００２５】
以上説明した構成を備えたランプホルダ３０，ソケット２０の構成から，両者を組み合わせたランプ固定具１０によってランプ５０の固定を行うことで，以下の顕著な効果を得ることができた。
【００２６】
ランプホルダ３０に前述のテーパ部３１ｂを形成すると共に，ソケット２０の嵌装部２２内に，前記テーパ部３１ｂと対応した形状，すなわち，これと同一角度のテーパ部２２ｂを形成したことにより，ランプホルダ３０をソケット２０の嵌装部２２内に挿入するだけで，ランプホルダ３０のテーパ部３１ｂがソケット２０の嵌装部２２に形成されたテーパ部２２ｂの内壁に案内されて，両ホルダ２０，３０の中心を正確に位置合わせすることができ，これにより，ランプホルダ３０に取り付けたランプ５０の中心も所望の位置に正確に配置することができた。
【００２７】
また，ランプホルダ３０，ソケット２０の接触をテーパ面で行ったことから，図１０〜１２を参照して説明したランプ固定具７０のようにフランジ状の面（水平面）で接触を行う場合に比較して，ランプホルダ３０，ソケット２０の外周方向に対する広がりを抑制しつつ，広い接触面積を確保することができ，ランプホルダ３０，ソケット２０の接触部分で発生する電気抵抗を小さくすることができた。
【００２８】
ランプホルダ３０に設けた先端部３１ａに係止溝３５を形成すると共に，ソケット２０の嵌装部２２内周に前記先端部３１ａを収容する先端挿入部２２ａを設けると共に，前記係止溝３５に係止する係止体２６ｂを設けた構成にあっては，ランプホルダ３０をソケット２０の嵌装部２２内の所定の位置迄挿入すると，前記係止体２６ｂが前記係止溝３５内に係止してソケット２０の嵌装部２２内にランプホルダ３０を仮止めすることができ，ソケット２０に対するランプホルダ３０の取り付け作業中，ランプホルダ３０から誤って手を離してしまった場合であっても，ランプホルダ３０及びこれに取り付けられているランプ５０が落下することを防止できた。
【００２９】
また，前記構成を備えたランプ固定具１０では，係止体２６ｂが係止溝３５に係止した際に生じる音と衝撃を作業者が知覚することにより，作業者は，ランプホルダ３０がソケット２０の嵌装部２２内の所定位置に迄確実に挿入されたことを確認することが可能であり，また，係止体２６ｂが弾性的に取り付けられているために，ソケット２０の嵌装部２２内に挿入されたランプホルダ３０を強く引き抜くことで，スプリング２６ｃ等の付勢力に打ち勝って係止体（球体２６ｂ）を後退させて溝３５内より抜き取ることが可能であり，ランプ交換の際にランプの取り外しについても支障なく行うことができた。
【００３０】
前記ランプホルダ３０の先端部３１ａの長さ方向にキー溝３６を形成すると共に，前記ソケット２０の先端挿入部２２ａ内壁より，前記キー溝３６と係合するキーを突出させた構成にあっては，キー（ガイドネジ２４の先端）がキー溝３６と係合するようにソケット２０の嵌装部２２内にランプホルダ３０を挿入することにより，ソケット２０に対してランプホルダ３０を所定の向きとなるように取り付けることができた。
【００３１】
その結果，例えばランプ５０の突起５６が，このキー溝３６との関係で所定の配置となるようにランプ５０にランプホルダ３０を取り付けておくだけで，この突起５６が出力光に影を生じさせない位置となるようにランプ５０をランプハウス１内等に取り付けることができた。
【００３２】
更に，例えば，内周面に雌ネジ２９が形成されたリング状部材から成る，固着具２８を前記ソケット２０（ソケット２０の本体部分２１）に外嵌すると共に，例えば，前記ランプホルダ３０の外周面に，前記固着具２８の雌ネジ２９と螺合する雄ネジ３４を形成して，前記ソケット２０の嵌装部２２に対する前記ランプホルダ３０の挿入時，前記固着具２８により前記ランプホルダ３０，ソケット２０間を着脱自在とした場合には，単一のリング状部材から成る固着具２８の締め付けのみによってランプホルダ３０とソケット２０間の固定作業を容易に行うことができた。
【発明を実施するための最良の形態】
【００３３】
次に、本発明の実施形態を添付図面を参照しながら以下に説明する。
【００３４】
図１〜図３において，符号１は本発明のランプ固定具１０を備えたランプハウスであり，ランプハウス１の天板２ａ側に設けたランプ固定具１０によってランプ５０の陽極側の電極を係止して，ランプハウス１内にランプ５０を垂下した状態で取り付け可能としたものである。
【００３５】
図示の実施形態にあっては，ランプ固定具１０を，ランプハウス１のカバー２の天板２ａに形成された開口２ｂを塞ぐキャップ３の裏面に取り付け，このキャップ３を前記開口２ｂより取り外すことができる。
【００３６】
以上のようにキャップ３の裏面にランプ固定具１０を介してランプ５０を取り付ける図示の実施形態にあっては，前記キャップ３の裏面に取り付けられたソケット２０（図４参照）と，ランプ５０の一端側に取り付けられるランプホルダ３０（図５参照）の組合せによって形成されており，ソケット２０に対してランプホルダ３０を着脱可能とすることによりランプ５０の交換を可能としたものである点で，図１０〜１２を参照して説明したランプ固定具７０と同様の構成である。
【００３７】
なお，以下の例では，ランプ固定具１０を前述のキャップ３の裏面に取り付ける場合を例にとり説明するが，この構成に限定されず，例えばランプ固定具１０のソケット２０をランプハウス１内に設けたステー等に固定し，カバー２を外すことにより，又はカバー２に設けた扉によってランプハウス１内を開放し，この状態でソケット２０に対してランプホルダ３０を着脱可能としてランプ５０の交換を行うことができるように構成しても良く，ランプハウス１等に対する具体的な適用については図示の実施形態に限定されず，各種の構成が採用可能である。
【００３８】
ランプ５０の一端側に取り付けられる前述のランプホルダ３０は，図５（Ａ）から（Ｄ）に示すように，後述するソケット２０に対して連結する際に，ソケット２０に設けた嵌装部２２内に挿入される筒状の膨出部３１を有すると共に，前記ランプ５０の一端を挿入するためのランプ挿入孔３２を備えており，このランプ挿入孔３２内にランプ５０の一端（陽極側の端部）を挿入すると共に固定することで，ランプ５０の一端に外嵌された状態に取り付け可能に構成されている。
【００３９】
図１に示すように，取り付け対象とするランプ５０が，一方の端部（陽極側端部）側において口金５５と，前記口金５５に対して細径に形成された端部突出部５７を備える本実施形態の構成にあっては，このランプ挿入孔３２を貫通孔として形成し，ランプホルダ３０を全体として筒状のものとして形成しているが，ランプ５０の陽極側端部が前述の端部突出部を有しない等，その形状によっては必ずしもランプ挿入孔３２を貫通孔として形成する必要はなく，ランプ５０の陽極側端部を挿入して口金５５部分を収容可能な形状であれば図示の実施形態の形状に限定されない。
【００４０】
図示の実施形態にあってはこのランプ挿入孔３２に，ランプ５０端部の受け入れ側の端部から所定長さの範囲迄を，ランプ５０の陽極に設けた口金５５部分の径に対応した内径を有する大径部３２ａを形成すると共に，このランプ挿入孔３２の挿入方向先端側において，ランプ５０の前記端部突出部５７を受け入れる，前記大径部３２ａに対して小径に形成された細径部３２ｂを形成し，このランプ挿入孔３２内にランプ５０の陽極を挿入した際，ランプ５０の陽極側端部における口金５５部分が大径部３２ａの内周と接触して電気的な接触を行うことができるように構成した。
【００４１】
このランプホルダ３０は，ソケット２０の嵌装部２２内に挿入される前述の筒状の膨出部３１と，前記嵌装部２２内に挿入されずにソケット２０の嵌装部２２より突出されるランプ保持部３３を備え，前記膨出部３１に該膨出部３１の挿入方向先端に向かって幅を狭める裁頭円錐状のテーパ部３１ｂを設けると共に，このテーパ部３１ｂの先端部分に，該テーパ部の細径側端部の径に対応した一定径に形成された先端部３１ａを設けている。
【００４２】
また，前記ランプ保持部３３は，前記テーパ部３１ｂの大径側端部よりも若干大径を成す円筒状に形成されており，このランプ保持部３３の外周には，前記テーパ面との境界側における所定の範囲に雄ネジ３４が形成されている。
【００４３】
前記膨出部３１の先端側に形成された前述の先端部３１ａには，この先端部３１ａの周方向に環状に形成された係止溝３５と，前記先端部３１ａの長さ方向に形成されたキー溝３６がそれぞれ形成されている。
【００４４】
なお，図５（Ｂ），（Ｃ）において符号３７はネジ孔で，このネジ孔３７を円筒状に形成されたランプ保持部３３の外周からランプ挿入孔３２内に貫通する貫通孔として形成し，このネジ孔３７に外周側から内周側に向けてランプ固定ネジ３８を螺合することにより，ランプ挿入孔３２内に挿入されたランプ５０の口金５５をこの固定ネジ３８の先端で押圧して，ランプ挿入孔３２内に挿入されたランプ５０の陽極側端部が，ランプ挿入孔３２より抜け落ちることを防止している。
【００４５】
以上のように構成されたランプホルダ３０に対し，このランプホルダ３０と連結される前述のソケット２０は，図４（Ａ）〜（Ｄ）に示すように，前記ランプホルダ３０に設けた膨出部３１を受け入れ可能な嵌装部２２を有する本体部分２１と，この本体部分２１に外嵌されたリング状部材から成る固着具２８とを備えている。
【００４６】
このソケット２０の本体部分２１に形成された嵌装部２２は，前述したランプホルダ３０の膨出部３１に対応した内部形状を備えており，前記ランプホルダ３０の膨出部３１に形成した先端部３１ａが嵌合される一定幅に形成された円筒状の先端挿入部２２ａと，この先端挿入部２２ａの端部から，前記嵌装部２２の開口端に至るテーパ部２２ｂが形成されており，このテーパ部２２ｂの内壁面の傾斜を，前記ランプホルダ３０の膨出部３１に設けたテーパ部３１ｂの傾斜と一致させることにより，ソケット２０の嵌装部２２内にランプホルダ３０の膨出部３１を挿入した際，ランプホルダ３０のテーパ部３１ｂの外周が，嵌装部２２のテーパ部２２ｂの内壁と接合するように構成されている。
【００４７】
なお，図示の実施形態にあっては，ソケット２０の嵌装部２２についても端部突出部５７を備えた図示のランプ５０の陽極側端部形状に対応して貫通孔として形成しているが，使用するランプ５０の陽極側端部の形状によっては，必ずしも貫通孔として形成する必要はない。
【００４８】
また，前記ホルダ３０の膨出部３１及びソケット２０嵌装部２２内のテーパ部３１ｂ，２２ｂは，それぞれ，同一角度の裁頭円錐状に形成しているが，これに限定されず，一面又は複数の面で同一角度のテーパを有する断面矩形状，例えば，一面にテーパ部を有する切欠円弧状筒状体，あるいは三角錐などの多角錐等，それらの形状は適宜選択可能である。
【００４９】
このソケット２０の本体部分２１には，嵌装部２２の先端挿入部２２ａにおいてその肉厚を貫通する３つのネジ孔２３，２５，２７が形成されており，このネジ孔の一つ２３に螺合されたキー溝用ガイドネジ２４の先端を前述したランプホルダ３０の先端部３１ａに形成したキー溝３６に挿入することで，ソケット２０の嵌装部２２内に対するランプホルダ３０の膨出部３１の挿入位置の位置合わせを容易に行うことができるように構成されている。
【００５０】
また，残りのネジ孔２５，２７のうちのネジ孔２５には，一例として図７に示すように外周に雄ネジが形成されたシリンダ２６ａ内に球体２６ｂとこの球体２６ｂを付勢するスプリング２６ｃを備えたボールプランジャ２６を螺合して，前記ボールプランジャ２６の球体２６ｂを嵌装部２２の先端挿入部２２ａ内壁より弾性的に突出させ，ソケット２０の嵌装部２２内にランプホルダ３０の膨出部３１を挿入した際，ランプホルダ３０の先端部３１ａに形成した係止溝３５内に，この球体２６ｂが係止することにより，ソケット２０の嵌装部２２内に，ランプホルダ３０の膨出部３１が挿入された状態で両者を仮止めすることができるように構成している。
【００５１】
このボールプランジャ２６に設けられた球体２６ｂは，スプリング２６ｃによる付勢力によってシリンダ２６ａより押し出される方向に付勢されていると共に，前記溝３５の深さや球体２６ｂの直径を適当に調整することにより，ランプホルダ３０をソケット２０より強く引き抜くと，前述のスプリング２６ｃの付勢力に抗して球体２６ｂが後退して，ランプホルダ３０の膨出部３１を，ソケット２０の嵌装部２２より抜き取ることができるよう構成されており，ランプ５０の交換に先立って，交換すべきランプ５０を取り外すことも容易である。
【００５２】
図示の実施形態にあっては，ソケット２０の本体部分２１に設けたネジ孔２５内に，図７のように構成されたボールプランジャ２６を螺合するものとして説明したが,前記ネジ孔２５自体をシリンダとして，このネジ孔内に直接，前記溝３５と係止する球体等の係止体と，スプリング等の付勢手段を収容するようにしても良く，また，前記係止体は，図７に示すような球体に限定されず，各種形状のものを使用可能である。
【００５３】
なお，ソケット２０の本体部分２１に設けた残りのネジ孔２７は電源装置に接続された電源ケーブルを取り付けるためのネジ孔であり，電源ケーブルの端部に取り付けられたターミネータ等をネジ止めする際に使用する。
【００５４】
以上のように構成されたソケット２０の本体部分２１には，円筒状のリング状部材から成る固着具２８が回転可能に外嵌されていると共に，前記嵌装部２２開口縁付近を外周方向に突出させて段部２１ａを形成すると共に，前記固着具２８の一方の内周端縁を内周方向に突出させて前記段部２１ａと係合するフランジ２８ａを形成し，固着具２８を前記ソケット２０本体部分２１の外周より抜き取り不能に構成している。
【００５５】
そして，前記固着具２８の他方の端部側における所定範囲の内周に，前述のランプホルダ３０のランプ保持部３３外周に形成した雄ネジ３４と螺合する雌ネジ２９を形成し，両者の螺合によりソケット２０に対してランプホルダ３０を固着可能に構成した。
【００５６】
以上のように構成された本発明のランプ固定具において，ランプ固定具１０を構成するランプホルダ３０，ソケット２０のうち，前述のランプホルダ３０は，これを高圧ランプ５０の陽極側の端部に取り付けて使用する〔図６（Ａ），（Ｂ）参照〕。
【００５７】
ランプ５０の陽極側端部に対するランプホルダ３０の取り付けは，これをユーザーが行うようにしても良いが，例えばランプ５０の陽極側端部に予めランプホルダ３０を取り付けた状態で出荷する等しても良く，このように構成することで，ランプ５０の極性を逆に接続することが防止できる。なお，この場合には，ユーザーはランプの交換時，ランプ５０とランプホルダ３０を共に交換すれば便宜である。
【００５８】
ランプ５０に対するランプホルダ３０の取り付けは，ランプ５０の発光管５１に形成された突起５６の形成位置と，ランプホルダ３０の先端部３１ａに設けた前述のキー溝３６の位置とが所定の配置となるように取り付ける。
【００５９】
ランプホルダ３０の先端部３１ａに設けたキー溝３６が，図８に示すように平面視においてランプハウス１による光の照射方向と同方向を向くようにソケット２０に取り付けられる本実施形態の構成にあっては，キー溝３６の形成位置と，突起５６の配置が，ランプホルダ３０及びランプ５０の軸線を中心として９０°又は２７０°の位相となるように取り付け，ランプホルダ３０のランプ挿入孔３２内にランプ５０の陽極側端部を挿入すると共に固定ネジ３８の締め付けによって固定する。
【００６０】
このようにして，ランプ５０の陽極側端部に取り付けられたランプホルダ３０は，キャップ３に取り付けられたソケット２０の嵌装部２２内に，先端部３１ａに設けたキー溝３６にガイドネジ２４の先端部分が嵌合するように膨出部３１を挿入し，ソケット２０に設けたボールプランジャ２６がランプホルダ３０の先端部３１ａに設けた係止溝３５内に係止する迄挿入する。
【００６１】
ランプ５０の取り付け作業を行うユーザーは，ランプホルダ３０の円筒状の円柱部３１ａに設けた係止溝３５内にボールプランジャ２６の球体２６ｂが係止した際の係止音を聞き，又は係止時の衝撃を手に感じ取ることができ，これによりランプホルダ３０の筒状膨出部３１が所定の位置迄挿入されたことを認識することができると共に，プランジャ２６の球体２６ｂが係止溝３５に係止することで，ランプホルダ３０をソケット２０に仮止めすることができ，これによりランプ５０の交換作業中に誤ってランプホルダ３０から手を離した場合であっても，ランプ５０が落下等することを防止できる。
【００６２】
このようにして，ソケット２０の嵌装部２２内にランプホルダ３０の筒状膨出部３１を挿入した状態で，ソケット２０に設けられたリング状部材から成る固着具２８の雌ネジ２９と，ランプホルダ３０のランプ保持部３３の外周に設けた雄ネジ３４とを螺合させることにより，両者間の連結が完了する。
【００６３】
固着具２８によるランプホルダ３０とソケット２０間の締結によって，ランプホルダ３０の筒状膨出部３１に設けたテーパ部３１ｂと，ソケット２０の嵌装部２２に設けたテーパ部２２ｂが圧接し，ランプホルダ３０，ソケット２０は，調整等を行うことなくその中心を正確に位置合わせすることができると共に，水平方向でのがたつきが生じず，その結果，ランプ５０の軸線方向を正確に中心位置に配置可能である。
【００６４】
また，テーパ部２２ｂ，３１ｂによってランプホルダ３０とソケット２０間の接触を行うため，接触面積を比較的大きくとることができ，これにより両者の接合部分で生じる電気抵抗を減少させることができる。
【００６５】
このようにしてランプホルダ３０とソケット２０間の連結を行う。
【００６６】
ランプハウス１内におけるランプ５０の配置に対して微調整が必要な場合には，キャップ３に設けた調整手段によりこれを調整し，これによりランプ交換が完了する。
【００６７】
以上のように，本発明のランプ固定具１０によれば，ランプ５０の軸線方向の中心と，突起５６が影を生じない向きとなるように容易にランプ５０をランプハウス１内に取り付けることが可能であると共に，前述した仮止め機能によって誤ってランプホルダ３０より手を離した場合であってもランプ５０の落下を防止でき，しかも，テーパ面３１ｂ，２２ｂによって接触するランプホルダ３０とソケット２０間の接触を行うことで，両者の中心が正確に位置合わせされるだけでなく，テーパ面同士の接触により，両者間の接触面積を比較的大面積とすることができたことから，両者の接触部分で生じる電気抵抗を可及的に減少させることができた。
【図面の簡単な説明】
【００６８】
【図１】本発明のランプ固定具を備えたランプハウスの正面断面図。
【図２】本発明のランプ固定具を備えたランプハウスの右側面断面図。
【図３】本発明のランプ固定具を備えたランプハウスの平面図。
【図４】本発明のソケットであり，（Ａ）は平面図，（Ｂ）は右側面図，（Ｃ）は（Ｂ）のＣ−Ｃ線断面図，（Ｄ）は底面図である。
【図５】本発明のランプホルダであり，（Ａ）は平面図，（Ｂ）は右側面図，（Ｃ）は（Ｂ）のＣ−Ｃ線断面図，（Ｄ）は底面図である。
【図６】ランプを取り付けた状態のランプ固定具であり，（Ａ）は右側面断面図，（Ｂ）は正面断面図。
【図７】ボールプランジャの説明図であり，（Ａ）は正面断面図，（Ｂ）は左側面図。
【図８】ランプホルダのキー溝とランプの突起の位置関係を説明する説明図。
【図９】キセノンランプの説明図。
【図１０】従来のランプ固定具を備えたランプハウスの正面断面図。
【図１１】従来のランプ固定具であり（Ａ）は正面分解図，（Ｂ）は（Ａ）のＢ−Ｂ線断面図。
【図１２】従来のランプ固定具の組み立て状態の断面図。
【符号の説明】
【００６９】
１  ランプハウス
２  カバー
２ａ  天板
２ｂ  開口
３  キャップ
５  背面ミラー
７  コンデンサレンズ
１０  ランプ固定具（本願）
２０  ソケット（本願）
２１  本体部分
２１ａ  段部
２２  嵌装部
２２ａ  先端挿入部
２２ｂ  テーパ部
２３  ネジ孔（キー溝のガイドネジを螺合）
２４  キー溝用ガイドネジ
２５  ネジ孔（プランジャ用）
２６  プランジャ（ボールプランジャ）
２６ａ  シリンダ
２６ｂ  係止体（球体）
２６ｃ  スプリング
２７  ネジ孔（電源ケーブル取付用）
２８  固着具
２８ａ  フランジ
２９  雌ネジ
３０  ランプホルダ
３１  膨出部
３１ａ  先端部
３１ｂ  テーパ部
３２  ランプ挿入孔
３２ａ  大径部
３２ｂ  細径部
３３  ランプ保持部
３４  雄ネジ
３５  係止溝
３６  キー溝
３７  ネジ孔（ランプ固定ネジ用）
３８  ランプ固定用ネジ
５０  高圧ランプ（キセノンランプ）
５１  発光管
５２  陰極チップ
５３  陽極チップ
５４  口金（陰極側）
５５  口金（陽極側）
５６  突起
５７  端部突出部
７０  ランプ固定具（従来）
８０  ソケット（従来）
８１  フランジ部
８２  嵌装部
８３  ネジ孔
９０  ランプホルダ（従来）
９１  フランジ部
９２  膨出部
９３  空間
９４  ローレットネジ
【図１】
0004480772.tif 000002
【図２】
0004480772.tif 000003
【図３】
0004480772.tif 000004
【図４】
0004480772.tif 000005
【図５】
0004480772.tif 000006
【図６】
0004480772.tif 000007
【図７】
0004480772.tif 000008
【図８】
0004480772.tif 000009
【図９】
0004480772.tif 000010
【図１０】
0004480772.tif 000011
【図１１】
0004480772.tif 000012
【図１２】
0004480772.tif 000013